(57)【要約】      （修正有）【課題】クリップ自体の形状、形態が斬新で、且つ、装飾性を有し、実用的機能の他にアクセサリ感覚、趣味的感覚で使用できるメタルクリップを提供する。【解決手段】アヒル形状、形態とした一対の金属製のクリップ板２ａ、２ｂを対向させ、両クリップ板２ａ、２ｂから突設した両係合片を軸を用いて回動可能に結合するとともに、軸に装着したバネ材を用いて両クリップ板２ａ、２ｂの一端側が当接するように付勢したクリップであって、両クリップ板２ａ、２ｂの少なくとも一方の外面を七宝焼又は疑似七宝焼類似の装飾加工面２ｃとし、クリップ板２ｂに吊り下げ用の穴を設けたものである。【選択図】図１
0003112206.tif 000002
【実用新案登録請求の範囲】
【請求項１】
動物、自動車、バイク、果物、菓子をはじめ、その他任意図形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を装飾加工面としたことを特徴とするメタルクリップ。
【請求項２】
アヒル、カエル等の動物、自動車、バイク、オレンジ、イチゴ、洋ナシ等の果物、イチゴパフェ、チョコレートパフェ等の菓子、ハート形、ツインハート形、クローバー形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を七宝焼又は疑似七宝焼類似の装飾加工面とし、少なくとも一方のクリップ板に吊り下げ用の穴を設けたことを特徴とするメタルクリップ。
【請求項３】
動物、自動車、バイク、果物、菓子、任意図形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を装飾加工面としたメタルクリップを、任意数組み合わせたことを特徴とするメタルクリップセット。
【請求項４】
アヒル、カエル等の動物、自動車、バイク、オレンジ、イチゴ、洋ナシ等の果物、イチゴパフェ、チョコレートパフェ等の菓子、ハート形、ツインハート形、クローバー形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を七宝焼又は疑似七宝焼類似の装飾加工面とし、少なくとも一方のクリップ板に吊り下げ用の穴を設けたメタルクリップを、任意数組み合わせたことを特徴とするメタルクリップセット。
【考案の詳細な説明】
【技術分野】
【０００１】
本考案は、メタルクリップ及びメタルクリップセットに関するものである。
【背景技術】
【０００２】
従来、書類束等の散乱を防止するため等の用途で各種クリップが実用に供されている。このようなクリップの一種として例えばピンズ用の鉄プレート（ダイキャストト製）を用い、鉄プレートに台座を一体成形し又はロウ付けする等煩雑な工程を付加してクリップを構成することが行われている。
【０００３】
また、従来のクリップにおいては、専ら書類束等を挟み込むという実用的な用途のみを追求して形成したものが多く、アクセサリ的、趣味的感覚で使用できるものは存在しないのが実情である。
【０００４】
特許文献１には、宝石、動物等のキャラクタで金属等からなる装飾体に、クリップ等の止着具を設け、２個の装飾体を紐等の連結具により連結して、ナプキンのずれ落ち等を防止するように構成した装飾止着具が提案されている。
【０００５】
しかし、この特許文献１の装飾止着具の場合、装飾体にクリップ等の止着具を取り付けた構造であり、クリップ自体がアクセサリ的、趣味的感覚を発揮し得るように構成したものではない。
【０００６】
特許文献２には、鰐口クリップ部にキャラクタ部を設け、更に鰐口クリップ部にチェーンの一端を取り付けてポケットベルに取り付けるようにしたポケットベル用チェーンが提案されている。
【０００７】
しかし、この特許文献２の場合にも、鰐口クリップ部にキャラクタ部を取り付けたものであり、鰐口クリップ部自体がアクセサリ的、趣味的感覚を発揮し得るように構成したものではない。
【特許文献１】実開平７−１２４２９号公報
【特許文献２】登録実用新案第３０３９５５０号公報
【考案の開示】
【考案が解決しようとする課題】
【０００８】
解決しようとする問題点は、クリップ自体の形状、形態が斬新で、且つ、装飾性を有し、実用的機能の他にアクセサリ感覚、趣味的感覚で使用できるメタルクリップが存在しない点である。
【課題を解決するための手段】
【０００９】
本考案のメタルクリップは、動物、自動車、バイク、果物、菓子、任意図形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を装飾加工面としたことを最も主要な特徴とする。
【考案の効果】
【００１０】
本考案によれば、以下の効果を奏する。
請求項１、２記載の考案のメタルクリップによれば、動物、自動車、バイクや果物、菓子、任意図形等の各種形状から選定される形状、形態とした多数の、例えば合計１２種のメタルクリップ各々について、本来の機能であるクリップ機能を発揮させることができることに加え、クリップした束等の目印機能、吊り下げ式で目立ち易い機能、アクセサリ感覚、趣味的感覚で他人に見せるおしゃれクリップとしての機能等、種々の機能を発揮させることができる。
【００１１】
請求項３、４記載の考案のメタルクリップセットによれば、動物、自動車、バイク、果物、菓子、任意図形等の各種形状から選定される形状、形態とした多数の、例えば合計１２種のメタルクリップ各々についてクリップ本来の機能、アクセサリ感覚、趣味的感覚で他人に見せるおしゃれクリップとして機能、ネックレス等のようなアクセサリ的機能、吊り下げ式で目立ち易いクリップとしての機能等を発揮させることができる。
【考案を実施するための最良の形態】
【００１２】
本考案は、クリップ自体の形状、形態が斬新で、且つ、装飾性を有し、実用的機能の他にアクセサリ感覚、趣味的感覚で使用できるメタルクリップを提供するという目的を、アヒル、カエル等の動物、自動車、バイク、オレンジ、イチゴ、洋ナシ等の果物、イチゴパフェ、チョコレートパフェ等の菓子、ハート形、ツインハート形、クローバー形等の各種形状から選定される形状、形態とした一対の金属製のクリップ板を対向させ、両クリップ板から突設した両係合片を軸を用いて回動可能に結合するとともに、前記軸に装着したバネ材を用いて前記両クリップ板の一端側が当接するように付勢したクリップであって、前記両クリップ板の少なくとも一方の外面を七宝焼又は疑似七宝焼類似の装飾加工面とし、少なくとも一方のクリップ板に吊り下げ用の穴を設けた構成により実現した。
【実施例】
【００１３】
以下に、本考案の実施例を詳細に説明する。
図１乃至図３は、本実施例に係るメタルクリップ１Ａを示すものであり、このメタルクリップ１Ａは、例えば各々動物の一種であるアヒル形状、形態に形成した一対の金属製（例えば亜鉛ダイキャスト製）のクリップ板２ａ、２ｂを対向させ、両クリップ板２ａ、２ｂの対向面から各々突設した略コの字状の係合片３ａ、３ｂを軸４を用いて回動可能に結合するとともに、前記軸４に装着した鋼材製でコイル状に形成したバネ材５を用いて前記両クリップ板２ａ、２ｂの一端側同士が当接するように付勢するように構成している。なお、図３において５ａ、５ｂは４バネ材５の端部である。
【００１４】
すなわち、前記両クリップ板２ａ、２ｂの他端側同士を、図２に示すように指操作等で矢印方向に操作することで、両クリップ板２ａ、２ｂの一端側同士が離隔して紙類等の挟持空間を出現させ、指操作を解除することで他端側同士がバネ材５の付勢力により図２に示す初期位置に復元するようにしている。
【００１５】
前記両クリップ板２ａ、２ｂのうち、一方のクリップ板２ａの外面（外部に露出する面）は、七宝焼又は疑似七宝焼類似の質感で、且つ、例えば黄色を呈する装飾加工面２ｃ（図１においてクロス斜線を付して示す）としている。
【００１６】
また、他方のクリップ板２ｂの上部中央には吊り下げ用の紐７（又はチェーン）を通すための穴６を設けている。この穴６は、クリップ板２ａに設けてもよく、また、クリップ板２ａ、２ｂ双方に設けてもよい。
【００１７】
なお、前記クリップ板２ａの内面や縁部、他方のクリップ板２ｂの内外面や縁部は、クローム等の金属光沢を呈するメッキ仕上げ等により美麗な外観を呈するように構成している。
【００１８】
また、前記他方のクリップ板２ｂの外面（外部に露出する面）を、一方のクリップ板２ａの装飾加工面２ｃと同様な七宝焼又は疑似七宝焼類似の質感で、且つ、黄色を呈する装飾加工面とすることも勿論可能である。
【００１９】
図４は本実施例に係るメタルクリップ１Ａの使用形態の一例を示すものであり、上述したごとく前記両クリップ板２ａ、２ｂの他端側同士を、指操作でバネ材５の付勢力に抗して接近させ、両クリップ板２ａ、２ｂの一端側同士に挟持空間を出現させてこの挟持空間で書類等の束８を挟み込み、この後指操作を解除することで束８をクリップするものである。
【００２０】
これにより、メタルクリップ１Ａにより本来の機能であるクリップ機能を発揮させることができることに加え、一方のクリップ板２ａの外面に目立ち易い前記装飾加工面２ｃを備えることから、クリップした束８の目印機能をも発揮させることが可能となる。
【００２１】
本実施例に係るメタルクリップ１Ａは、この他図示しないが開封した菓子袋等のような袋類の開口部分を挟み込んで封止状態としたり、各種物品をクリップする等の本来のクリップ機能を発揮させることができる。
【００２２】
また、本実施例に係るメタルクリップ１Ａは、例えばエプロンの一部に挟み付けたり、ハンドバック等にキーホルダーを目立ち易く留め付けたりするような使用態様も可能であり、この場合にはアクセサリ感覚で他人に見せるおしゃれクリップとして機能させることもできる。
【００２３】
図５は、本実施例に係るメタルクリップ１Ａの使用形態の他例を示すものであり、この場合には、他方のクリップ板２ｂに設けた穴６に吊り下げ用の紐７を挿通し、紐７の端部同士を輪状に結び付けることで、このメタルクリップ１Ａを例えばネックレスとして使用したり、ハンドバック等に紐７を取り付けてメタルクリップ１Ａを吊り下げたりするというアクセサリ的な使用が可能となる。
また、紐７を壁等に止着したフック等に掛け、クリップ板２ａ、２ｂにより書類等をクリップすることで、吊り下げ式で目立ち易いクリップとして機能させることも可能である。
【００２４】
図６は、本考案の実施例に係るメタルクリップセット１０を示すもので、上述したメタルクリップ１Ａの他に、外観をカエル形状、形態とした前記メタルクリップ１Ａと同様な構成のメタルクリップ１Ｂ、外観を自動車（乗用車）形状、形態とした前記メタルクリップ１Ａと同様な構成のメタルクリップ１Ｃ、外観をバイク形状、形態とした前記メタルクリップ１Ａと同様な構成のメタルクリップ１Ｄ、外観を果物の一種であるオレンジ形状、形態とした前記メタルクリップ１Ａと同様な構成のメタルクリップ１Ｅ、外観を果物の一種であるイチゴ形状、形態とした前記メタルクリップ１Ａと同様な構成のメタルクリップ１Ｆ、外観を果物の一種である洋ナシ形状、形態とした前記メタルクリップ１Ａと同様な構成のメタルクリップ１Ｇ、外観を図形の一種であるハート形状、形態とした前記メタルクリップ１Ａと同様な構成のメタルクリップ１Ｈ、外観を図形の一種であるツインハート形状、形態とした前記メタルクリップ１Ａと同様な構成のメタルクリップ１Ｉ、外観を図形の一種であるクローバー形状、形態とした前記メタルクリップ１Ａと同様な構成のメタルクリップ１Ｊ、外観を菓子の一種であるイチゴパフェ形状、形態とした前記メタルクリップ１Ａと同様な構成のメタルクリップ１Ｋ、外観を菓子の一種であるチョコレートパフェ形状、形態とした前記メタルクリップ１Ａと同様な構成のメタルクリップ１Ｌからなる合計１２種のメタルクリップを組み合わせたものである。
なお、図６においては、メタルクリップ１Ａ乃至１Ｌの正面形状を示している。また、図６においては、メタルクリップ１Ａ乃至１Ｌにおける表面に付されている赤色、青色、黄色等の色彩を省略して示している。
【００２５】
このようなメタルクリップセット１０によれば、メタルクリップ１Ａ及びメタルクリップ１Ｂ乃至１Ｌからなる合計１２種のメタルクリップ各々について既述した場合と同様なクリップ本来の機能、アクセサリ感覚で他人に見せるおしゃれクリップとして機能、ネックレス等のようなアクセサリ的機能、吊り下げ式で目立ち易いクリップとしての機能等を発揮させることができる。
【００２６】
次に、図７、図８を参照して本考案の他の実施例に係るメタルクリップセット陳列システムについて説明する。
【００２７】
このメタルクリップセット陳列システムは、上述した合計１２種のメタルクリップ１Ａ乃至１Ｌからなるメタルクリップセット１０と、図７に示すように個々のメタルクリップ１Ａ乃至１Ｌを各々収容する収容体１１Ａ乃至１１Ｌと、各メタルクリップ１Ａ乃至１Ｌを各々収容した収容体を列設状態で陳列する什器２０とを具備している。
【００２８】
前記什器２０は、図７に示すように、上辺に吊り下げ具２２を取り付けた長方形状の薄板状の基板２１と、この基板２１の表面において、横４列、縦３列となるように突設した合計１２個のフック２３とを具備している。
【００２９】
図８はメタルクリップ１Ａ用の収容体１１Ａを示すものである。この収容体１１Ａは、例えば紙材等で長方形状に形成した保持部材３１の表面に、前記メタルクリップ１Ａが収用可能な空間を形成した透明樹脂材等からなる収容袋部３２を前記メタルクリップ１Ａを収容した状態で剥離可能に貼り付けることにより構成している。
【００３０】
前記保持部材３１の表面の一部には、メタルクリップ１Ａを表す「アヒル」の文字を付している。また、保持部材３１の上辺中央近傍には、前記フック２３への挿通用の穴部３３を設けている。
【００３１】
他の収容体１１Ｂ乃至１１Ｌも、各々前記収容体１１Ａと同様に形成され、且つ、各々その内容物を表す「カエル」、「自動車」、「バイク」、「オレンジ」、「イチゴ」、「洋ナシ」、「ハート」、「ツインハート」、「クローバー」、「イチゴパフェ」、「チョコレートパフェ」の文字を付している。
【００３２】
本実施例に係るメタルクリップセット陳列システムによれば、什器２０により合計１２種のメタルクリップ１Ａ乃至１Ｌを各々収容体１１Ａ乃至１１Ｌに入れた状態で一覧的に陳列し、販売に供することができ、購買者の購入意欲を煽ることができる。
【産業上の利用可能性】
【００３３】
本考案は、上述した場合の他、メタルクリップ自体の外観形状、形態として家畜類、猛獣類等の各種動物形状、形態、消防車、救急車等の各種自動車形状、形態、リンゴ或いはミカン、柿等の各種果物形状、形態、パン、菓子パン等の各種食物形状、形態等を選定して幅広く実施できる。また、各メタルクリップ自体の表面の色彩も、赤色、青色、黄色、緑色等各種の色彩を着色したり模様を付したりして幅広く実施できる。
【図面の簡単な説明】
【００３４】
【図１】本考案の実施例に係るメタルクリップの正面側から見た斜視図である。
【図２】本実施例に係るメタルクリップの背面側から見た斜視図である。
【図３】本実施例に係るメタルクリップの側面図である。
【図４】本実施例に係るメタルクリップの使用形態の一例を示す斜視図である。
【図５】本実施例に係るメタルクリップの使用形態の他例を示す斜視図である。
【図６】本考案の実施例に係るメタルクリップセットの一覧図である。
【図７】他の実施例に係るメタルクリップセット陳列システムを示す斜視図である。
【図８】他の実施例に係るメタルクリップ用の収容体を示す斜視図である。
【符号の説明】
【００３５】
１Ａ〜１Ｌ    メタルクリップ
２ａ    クリップ板
２ｂ    クリップ板
２ｃ    装飾加工面
３ａ    係合片
３ｂ    係合片
４      軸
５      バネ材
６      穴
７      紐
８      束
１０    メタルクリップセット
１１Ａ〜１１Ｌ    収容体
２０      什器
２１      基板
２２      吊り下げ具
２３      フック
３１      保持部材
３２      収容袋部
３３      穴部
【図１】
0003112206.tif 000003
【図２】
0003112206.tif 000004
【図３】
0003112206.tif 000005
【図４】
0003112206.tif 000006
【図５】
0003112206.tif 000007
【図６】
0003112206.tif 000008
【図７】
0003112206.tif 000009
【図８】
0003112206.tif 000010